(57)【特許請求の範囲】
【請求項１】
重要度別スケジュール通知情報を保存するメモリ部と、
ユーザから通知動作を設定するための入力を受信し、前記保存された重要度別スケジュール通知情報によって通知回数および通知間隔がそれぞれ異なるように、少なくとも２回の通知時刻を設定し、前記設定された通知時刻に、前記通知動作を行わせる制御部であって、前記保存された重要度別スケジュール通知情報は、通知時刻を含む、制御部と、
前記設定された通知時刻が現在時刻と一致するか否かを判断する比較部であって、前記設定された通知時刻が現在時刻と一致すると判断された場合に、通知動作は、通知を出力し、スケジュールの内容を表示し、前記制御部にユーザがスケジュールの日付および内容を変更できるようにさせる、比較部と、
前記制御部の制御により、通知のための音を出力するスピーカ部と
を含む、スケジュール管理機能をサポートする携帯端末機。
【請求項２】
同期化信号を伝送し、時刻情報を含む衛星信号を受信する送受信部と、
前記通知動作のときに、通知内容を表示する表示部と
をさらに含む、請求項１に記載の携帯端末機。
【請求項３】
前記制御部の制御により、ユーザへの通知のために振動を出力する振動部をさらに含む、請求項１に記載の携帯端末機。
【請求項４】
前記メモリ部は、前記重要度別スケジュール通知情報をテーブルの形式で保存する、請求項１に記載の携帯端末機。
【請求項５】
前記テーブルは、重要度に応じて変化のある通知時刻および通知間隔を含む、請求項４に記載の携帯端末機。
【請求項６】
前記テーブルは、スケジュールによって区分された重要度の値を含む、請求項４に記載の携帯端末機。
【請求項７】
前記重要度別スケジュール通知情報は、ユーザにより変更可能である、請求項４に記載の携帯端末機。
【請求項８】
前記重要度別スケジュール通知情報の重要度は、スケジュールによって区分される、請求項１に記載の携帯端末機。
【請求項９】
前記重要度別スケジュール通知情報は、ユーザにより変更可能である、請求項１に記載の携帯端末機。
【請求項１０】
ユーザ入力によってスケジュールの日付および内容が選択されると、前記入力されたスケジュールの内容の重要度別にスケジュールの通知回数および通知間隔がそれぞれ異なるように、少なくとも２回のスケジュール通知時刻を設定することと、
前記選択された日付が現在時刻と一致するか否かを判断し、前記日付が一致する場合に通知を出力することであって、前記日付が現在時刻と一致すると判断された場合に、ユーザは前記ユーザ入力によって選択されたスケジュールの日付および内容を変更可能である、ことと、
前記スケジュールに対応する重要度に応じて予め設定された時刻に通知動作を行うことと
を含む、携帯端末機のスケジュール管理機能を実行する方法。
【請求項１１】
前記スケジュールの日付および内容は、ユーザにより変更および削除可能である、請求項１０に記載の方法。
【請求項１２】
最初の通知動作後、前記重要度に応じて予め設定された時刻および間隔で通知動作を行うことをさらに含む、請求項１０に記載の方法。
【請求項１３】
前記重要度に応じて予め設定された時刻および間隔は、ユーザにより変更可能である、請求項１２に記載の方法。
【発明の詳細な説明】
【技術分野】
【０００１】
本発明は、携帯端末機に関し、特に、ユーザのスケジュールを重要度に応じて管理し得るスケジュール管理携帯端末機及びその方法に関する。
【背景技術】
【０００２】
携帯端末機の普遍化によって、電子時計や電子手帳より、携帯端末機を利用してスケジュールを管理する人が多くなってきた。
【０００３】
従来の携帯端末機を利用したスケジュール管理においては、ユーザはスケジュールを登録するたびに、スケジュールと共に通知時刻を設定しなければならない。また、通知時刻を予め適切に考慮して設定しなければならないだけでなく、「５分毎に通知」や「３０分毎に通知」のような通知繰り返し時間を設定しなければならない。携帯端末機は、ユーザにより設定された通知繰り返し時間通りに規則的に再び通知を行う。
【０００４】
しかし、実際に、誕生日や記念日などのスケジュールは正確にいつから知っていればよいか曖昧な場合が多い。ユーザがあえて通知時刻を正確に入力する必要のない場合が多いという意味である。
【０００５】
例えば、誕生日は、約１週間前から知っていればよく、さらに予めイベントを準備したい場合は、約１ヶ月前から知っていればよいが、このような場合も、ユーザはスケジュールの登録時、予め通知時刻を日、時、分まで正確に入力しなければならない。
【発明の開示】
【発明が解決しようとする課題】
【０００６】
このような従来のスケジュール管理においては、特定スケジュールの通知時刻について具体的に考慮する必要がないにもかかわらず、ユーザに複雑な入力を要求することにより、ユーザに不便を与えるという問題があった。
【０００７】
本発明は、このような従来技術の問題を解決するためになされたもので、ユーザのスケジュールを重要度に応じて管理し得るスケジュール管理携帯端末機及びその方法を提供することを目的とする。
【課題を解決するための手段】
【０００８】
このような目的を達成するために、本発明に係るスケジュール管理携帯端末機は、重要度別スケジュール通知情報を保存するメモリ部と、ユーザにより設定されたスケジュール及び前記重要度別スケジュール通知情報によって定められた時刻に通知を行わせる制御部と、該制御部の制御により、通知を音で行うスピーカ部及び通知を振動で行う振動部とを含むことを特徴とする。
【０００９】
また、前記携帯端末機は、同期化信号を伝送し、時刻情報を含む衛星信号を受信する送受信部と、前記通知時、通知内容を表示する表示部とをさらに含むことを特徴とする。
【００１０】
また、前記メモリ部は、前記重要度によるスケジュール通知情報をテーブルとして保存することを特徴とする。前記テーブルは、重要度に応じて通知時刻と通知間隔に差がある。前記テーブルは、スケジュールによって重要度を区分する。前記重要度によるスケジュール通知情報は、ユーザにより変更される。
【００１１】
さらに、本発明に係るスケジュール管理方法は、ユーザがスケジュールの日付、内容、及び重要度のみを入力する段階と、前記重要度に応じて予め設定された時刻に通知を行う段階とを含むことを特徴とする。
【００１２】
また、前記スケジュール管理方法は、最初の通知実行後、前記重要度に応じて予め設定された時刻及び間隔で漸増的に通知を行う段階をさらに含むことを特徴とする。
【００１３】
さらに、本発明に係るスケジュール管理方法は、ユーザがスケジュールの日付及び内容のみを選択する段階と、前記スケジュールの重要度に応じて予め設定された時刻に通知を行う段階とを含むことを特徴とする。
【００１４】
また、前記スケジュール管理方法は、最初の通知実行後、前記重要度に応じて予め設定された時刻及び間隔で漸増的に通知を行う段階をさらに含むことを特徴とする。
【００１５】
上記目的を達成するために、本発明は、例えば、以下の手段を提供する。
（項目１）
重要度別スケジュール通知情報を保存するメモリ部と、
ユーザにより設定されたスケジュール及び前記重要度別スケジュール通知情報によって定められた時刻に通知を行わせる制御部と、
前記制御部の制御により、通知を音で行うスピーカ部と、
を含むことを特徴とするスケジュール管理携帯端末機。
（項目２）
前記携帯端末機が、
同期化信号を伝送し、時刻情報を含む衛星信号を受信する送受信部と、
前記通知時、通知内容を表示する表示部と、
をさらに含むことを特徴とする項目１に記載のスケジュール管理携帯端末機。
（項目３）
前記携帯端末機が、前記制御部の制御により、通知を振動で行う振動部をさらに含むことを特徴とする項目１に記載のスケジュール管理携帯端末機。
（項目４）
前記メモリ部が、前記重要度によるスケジュール通知情報をテーブルとして保存することを特徴とする項目１に記載のスケジュール管理携帯端末機。
（項目５）
前記テーブルは、重要度に応じて通知時刻と通知間隔に差があることを特徴とする項目４に記載のスケジュール管理携帯端末機。
（項目６）
前記テーブルが、スケジュールによって重要度を区分することを特徴とする項目４に記載のスケジュール管理携帯端末機。
（項目７）
前記重要度によるスケジュール通知情報が、ユーザにより変更されることを特徴とする項目４に記載のスケジュール管理携帯端末機。
（項目８）
前記重要度別スケジュール通知情報は、重要度に応じて通知時刻と通知間隔に差があることを特徴とする項目１に記載のスケジュール管理携帯端末機。
（項目９）
前記重要度別スケジュール通知情報が、スケジュールによって重要度を区分することを特徴とする項目１に記載のスケジュール管理携帯端末機。
（項目１０）
前記重要度別スケジュール通知情報が、ユーザにより変更されることを特徴とする項目１に記載のスケジュール管理携帯端末機。
（項目１１）
ユーザがスケジュールの日付、内容、及び重要度のみを入力する段階と、
前記重要度に応じて予め設定された時刻に通知を行う段階と、
を含むことを特徴とするスケジュール管理方法。
（項目１２）
前記日付、内容、及び重要度は、ユーザにより変更及び削除が可能であることを特徴とする項目１１に記載のスケジュール管理方法。
（項目１３）
最初の通知実行後、前記重要度に応じて予め設定された時刻及び間隔で漸増的に通知を行う段階をさらに含むことを特徴とする項目１１に記載のスケジュール管理方法。
（項目１４）
前記重要度に応じて予め設定された時刻及び間隔は、ユーザにより変更が可能であることを特徴とする項目１３に記載のスケジュール管理方法。
（項目１５）
ユーザがスケジュールの日付及び内容のみを選択する段階と、
前記スケジュールの重要度に応じて予め設定された時刻に通知を行う段階と、
を含むことを特徴とするスケジュール管理方法。
（項目１６）
前記日付及び内容は、ユーザにより変更及び削除が可能であることを特徴とする項目１５に記載のスケジュール管理方法。
（項目１７）
最初の通知実行後、前記重要度に応じて予め設定された時刻及び間隔で漸増的に通知を行う段階をさらに含むことを特徴とする項目１５に記載のスケジュール管理方法。
（項目１８）
前記重要度に応じて予め設定された時刻及び間隔は、ユーザにより変更が可能であることを特徴とする項目１７に記載のスケジュール管理方法。
（項目１９）
ネットワークから現在の日付及び時刻情報を受信する送受信器と、
ユーザのためのイベント又は約束を保存するメモリと、
前記イベント又は約束を想起させる出力部と、
前記送受信器、メモリ、及び出力部と連動し、ユーザに前記イベント又は約束の優先順位を決定させる段階と、前記受信された日付及び時刻情報と比較して、前記イベント又は約束の定められた優先順位に関連したある時間周期で、前記出力部により少なくとも１つのリマインダを提供する段階とを行うプロセッサと、
を含むことを特徴とするスケジュール管理携帯端末機。
（項目２０）
前記出力部が、前記リマインダとして、視覚的、聴覚的、触覚的な通知の少なくとも１つをユーザに提供することを特徴とする項目１９に記載のスケジュール管理携帯端末機。
（項目２１）
ユーザから前記イベント又は約束、及びその優先順位が入力される入力部をさらに含むことを特徴とする項目１９に記載のスケジュール管理携帯端末機。
（項目２２）
前記優先順位は、少なくとも高く又は低く定めることができ、高い優先順位の時間周期が低い優先順位の時間周期より短くて、高い優先順位のリマインダが低い優先順位のリマインダより頻繁に提供されることを特徴とする項目１９に記載のスケジュール管理携帯端末機。
【発明の効果】
【００１６】
本発明に係るスケジュール管理携帯端末機及びその方法は、スケジュール登録時、ユーザが正確な通知時刻を考慮して設定する必要がなく、重要度やスケジュールの選択のみにより適正な通知時刻及び通知間隔で通知を行うことにより、ユーザに利便性を提供するという効果がある。
【発明を実施するための最良の形態】
【００１７】
以下、本発明の好ましい実施形態について添付の図面に基づいて説明する。
【００１８】
図１は本発明の一実施形態によるスケジュール管理携帯端末機の構成を示すブロック図である。
【００１９】
図１に示すように、スケジュール管理携帯端末機１００は、重要度別スケジュール通知情報を保存するメモリ部１１０と、ユーザにより設定されたスケジュール及び前記重要度別スケジュール通知情報によって定められた時刻に通知を行わせる制御部１２０と、制御部１２０の制御により、通知を音で行うスピーカ部１３０及び通知を振動で行う振動部１４０とを含む。
【００２０】
また、スケジュール管理携帯端末機１００は、同期化信号を伝送し、時刻情報を含む衛星信号を受信する送受信部１５０と、前記通知時、通知内容を表示する表示部１６０とをさらに含む。
【００２１】
また、メモリ部１１０は、前記重要度によるスケジュール通知情報をテーブルとして保存することができるが、これは図２に基づいて説明する。
【００２２】
図２は本発明の一実施形態による重要度によるスケジュール通知情報テーブルを示す図である。
【００２３】
図２に示すように、スケジュールの重要度に応じて、「非常に重要」の場合、１５日前、７日前、３日前、２日前、１日前、当日の定刻午前９時に通知が行われ、「重要」の場合、１０日前、５日前、２日前、１日前、当日の定刻午前９時に通知が行われるなど、スケジュールの重要度に応じて最初の通知日及び通知間隔に差があるが、前記最初の通知日、通知時刻、通知間隔などはユーザにより変更可能である。
【００２４】
前記テーブルは、説明のための一例であり、重要度を「重要、普通、重要でない」の３つに区分するなど、その実現方式は多様である。
【００２５】
図３は本発明の他の実施形態による重要度によるスケジュール通知情報テーブルを示す図である。
【００２６】
図３を参照すると、多様なスケジュールを重要度に応じて区分し、図２と同様に、前記重要度に応じて最初の通知日及び通知間隔に差があることが分かる。前記スケジュールの重要度、該重要度による最初の通知日及び通知間隔は、ユーザにより変更可能である。例えば、図３において、「友人との約束」の重要度は「重要でない」であるが、何年かぶりに会う友人との約束の場合、ユーザは重要度を「重要」に変更可能である。
【００２７】
図４は本発明の一実施形態によるスケジュール管理方法を示すフローチャートである。
【００２８】
図４に示すように、ユーザは、スケジュール登録時、スケジュールの日付、内容、及び重要度のみを入力して保存する（Ｓ４１０）。保存が完了すると、携帯端末機は、所定時間間隔で前記重要度による通知時刻が現在時刻と一致するか否かを判断する（Ｓ４２０）。
【００２９】
前記一致するか否かの判断の結果、前記重要度による通知時刻が現在時刻と一致すると、携帯端末機は、音、振動、ランプ、及びスケジュール内容表示などの通知を行って、ユーザに前記スケジュールを想起させる（Ｓ４３０）。
【００３０】
その後、携帯端末機は、ユーザが日付や重要度を変更するか否かを判断し（Ｓ４４０）、前記変更するか否かの判断の結果、変更がないと、他の通知日が存在するか否かを判断する（Ｓ４５０）。前記存在するか否かの判断の結果、他の通知日が存在しないと、スケジュールを通知するための時刻モニタが終了し、他の通知日が存在すると、携帯端末機は、前記重要度による通知時刻が現在時刻と一致するか否かを判断する段階（Ｓ４２０）に戻り、その後の段階を行う。すなわち、最初の通知後にも、重要度に応じて設定された間隔で漸増的にスケジュールを通知する。
【００３１】
一方、前記変更するか否かの判断の結果、変更があると、変更された内容を保存し（Ｓ４６０）、前記重要度による通知時刻が現在時刻と一致するか否かを判断する段階（Ｓ４２０）以後の段階を条件に応じて行う。
【００３２】
図５は本発明の他の実施形態によるスケジュール管理方法を示すフローチャートである。
【００３３】
図５に示すように、ユーザは、スケジュール登録時、スケジュールの日付を選択し、スケジュールリストからスケジュールの種類を選択する（Ｓ５１０）。
【００３４】
すなわち、電子カレンダからスケジュールの日付を選択した後、「父の誕生日、母の誕生日、恋人の誕生日、兄弟の誕生日、結婚式、同窓会、友人との約束、会議、．．．」などのスケジュールを、スケジュールリストから選択する。すると、携帯端末機は、前記選択されたスケジュールの重要度を判断した後、該当重要度に応じて通知時刻を設定する（Ｓ５２０）。
【００３５】
前記通知時刻の設定が完了すると、携帯端末機は、所定時間間隔で前記重要度による通知時刻が現在時刻と一致するか否かを判断する（Ｓ５３０）。
【００３６】
前記一致するか否かの判断の結果、前記重要度による通知時刻が現在時刻と一致すると、携帯端末機は、音、振動、ランプ、及びスケジュール内容表示などの通知を行って、ユーザに前記スケジュールを想起させる（Ｓ５４０）。
【００３７】
その後、携帯端末機は、ユーザがスケジュールの日付や種類を変更するか否かを判断し（Ｓ５５０）、前記変更するか否かの判断の結果、変更がないと、他の通知日が存在するか否かを判断する（Ｓ５６０）。前記存在するか否かの判断の結果、他の通知日が存在しないと、スケジュールを通知するための時刻モニタが終了し、他の通知日が存在すると、携帯端末機は、前記重要度による通知時刻が現在時刻と一致するか否かを判断する段階（Ｓ５３０）に戻り、その後の段階を行う。
【００３８】
一方、前記変更するか否かの判断の結果、変更があると、変更された内容を保存し（Ｓ５７０）、前記重要度による通知時刻が現在時刻と一致するか否かを判断する段階（Ｓ５３０）以後の段階を条件に応じて行う。
【００３９】
携帯端末機の具体的な特徴により、本発明を実現する際、移動性、制限されたプロセッサの能力、限定されたメモリのサイズ、限定されたバッテリ容量、比較的小さいサイズの画面などの事項を考慮しなければならない。
【００４０】
本発明は、より便利なスケジュール管理機能を提供することにより、ユーザにイベント又は約束を想起させるための機能を簡便化してバッテリ消費を最小化し、プロセス量及びメモリ要求事項を減少させることができる。
【００４１】
本発明は、ネットワークから現在の日付及び時刻情報を受信する送受信器と、ユーザのためのイベント又は約束を保存するメモリと、前記イベント又は約束を想起させる出力部と、前記送受信器、メモリ、及び出力部と連動し、ユーザに前記イベント又は約束の優先順位を決定させる段階と、前記受信された日付及び時刻情報と比較して、前記イベント又は約束の定められた優先順位に関連したある時間周期で、前記出力部により少なくとも１つのリマインダを提供する段階とを行うプロセッサとを含むことを特徴とするスケジュール管理携帯端末機を提供する。
【００４２】
前記出力部は、前記リマインダとして、視覚的、聴覚的、触覚的な通知の少なくとも１つをユーザに提供することができる。また、前記携帯端末機は、ユーザから前記イベント又は約束、及びその優先順位が入力される入力部をさらに含むことができる。前記優先順位は、少なくとも高く又は低く定めることができ、高い優先順位の時間周期は低い優先順位の時間周期より短くて、高い優先順位のリマインダは低い優先順位のリマインダより頻繁に提供される。
【００４３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４４】
ユーザのスケジュールを重要度に応じて管理し得るスケジュール管理携帯端末機及びその方法を提供する。
【００４５】
スケジュール管理携帯端末機１００は、重要度別スケジュール通知情報を保存するメモリ部１１０と、ユーザにより設定されたスケジュール及び重要度別スケジュール通知情報によって定められた時刻に通知を行わせる制御部１２０と、制御部１２０の制御により、通知を音で行うスピーカ部１３０とを含む。
【図面の簡単な説明】
【００４６】
【図１】本発明の一実施形態によるスケジュール管理携帯端末機の構成を示すブロック図である。
【図２】本発明の一実施形態による重要度によるスケジュール通知情報テーブルを示す図である。
【図３】本発明の他の実施形態による重要度によるスケジュール通知情報テーブルを示す図である。
【図４】本発明の一実施形態によるスケジュール管理方法を示すフローチャートである。
【図５】本発明の他の実施形態によるスケジュール管理方法を示すフローチャートである。
【符号の説明】
【００４７】
１１０  メモリ部
１２０  制御部
１３０  スピーカ部
１４０  振動部
１５０  送受信部
１６０  表示部
【図１】
0004493603.tif 000002
【図２】
0004493603.tif 000003
【図３】
0004493603.tif 000004
【図４】
0004493603.tif 000005
【図５】
0004493603.tif 000006